【手続補正書】
【提出日】令和2年4月6日(2020.4.6)
【手続補正１】
【補正対象書類名】特許請求の範囲
【補正対象項目名】全文
【補正方法】変更
【補正の内容】
【特許請求の範囲】
【請求項１】
車両に搭載されるサーモサイフォン式温調装置であって、
冷却対象物（１１）から作動流体に吸熱させて前記作動流体を蒸発させる蒸発器（１３）と、
前記蒸発器から重力方向上方へ延びて、前記蒸発器で蒸発した気相の前記作動流体が流れる気相配管（１５）と、
前記気相配管を流れた前記作動流体を放熱させて前記作動流体を前記凝縮させる凝縮器（１４）と、
前記凝縮器から重力方向下方へ延びて、前記凝縮器で凝縮した作動流体を前記蒸発器に導く液相配管（１６）と、
前記蒸発器の内部の作動流体に混入する気泡が前記気相配管に排出されるように前記液相配管内の液相の前記作動流体を吸入して吐出し、且つ液相の前記作動流体を前記凝縮器内に到達させない揚程を有するポンプ（１８）と、
前記蒸発器のうち前記気相配管が接続される出口側接続部（１３ｂ）が前記蒸発器のうち前記液相配管が接続される入口側接続部（１３ａ）よりも重力方向上方に位置するように前記車両が傾斜している場合、前記ポンプが吐出する前記作動流体の流量を少なくし、前記蒸発器のうち前記気相配管が接続される部位（１３ｂ）が前記蒸発器のうち前記液相配管が接続される部位（１３ａ）よりも重力方向下方に位置するように前記車両が傾斜している場合、前記ポンプが吐出する前記作動流体の流量を多くする制御部（３０）とを備えるサーモサイフォン式温調装置。
【請求項２】
冷却対象物（１１）から作動流体に吸熱させて前記作動流体を蒸発させる蒸発器（１３）と、
前記蒸発器から重力方向上方へ延びて、前記蒸発器で蒸発した気相の前記作動流体が流れる気相配管（１５）と、
前記気相配管を流れた前記作動流体を放熱させて前記作動流体を前記凝縮させる凝縮器（１４）と、
前記凝縮器から重力方向下方へ延びて、前記凝縮器で凝縮した作動流体を前記蒸発器に導く液相配管（１６）と、
前記蒸発器の内部の作動流体に混入する気泡が前記気相配管に排出されるように前記液相配管内の液相の前記作動流体を吸入して吐出し、且つ液相の前記作動流体を前記凝縮器内に到達させない揚程を有するポンプ（１８）と、
前記液相配管の前記作動流体が前記ポンプをバイパスして流れるバイパス配管（２０）と、
前記バイパス配管内の流路を開閉する開閉弁（２１）と、
前記出口側接続部（１３ｂ）が前記入口側接続部（１３ａ）よりも重力方向上方に位置するように前記車両が傾斜している場合、前記開閉弁を開くとともに前記ポンプを停止させる制御部（３０）とを備えるサーモサイフォン式温調装置。
【請求項３】
冷却対象物（１１）から作動流体に吸熱させて前記作動流体を蒸発させる蒸発器（１３）と、
前記蒸発器から重力方向上方へ延びて、前記蒸発器で蒸発した気相の前記作動流体が流れる気相配管（１５）と、
前記気相配管を流れた前記作動流体を放熱させて前記作動流体を前記凝縮させる凝縮器（１４）と、
前記凝縮器から重力方向下方へ延びて、前記凝縮器で凝縮した作動流体を前記蒸発器に導く液相配管（１６）と、
前記蒸発器の内部の作動流体に混入する気泡が前記気相配管に排出されるように前記液相配管内の液相の前記作動流体を吸入して吐出し、且つ液相の前記作動流体を前記凝縮器内に到達させない揚程を有するポンプ（１８）と、
前記液相配管の前記作動流体が前記ポンプをバイパスして流れるバイパス配管（２０）と、
前記バイパス配管内の流路を開閉する開閉弁（２１）と、
前記出口側接続部（１３ｂ）が前記入口側接続部（１３ａ）よりも重力方向下方に位置するように前記車両が傾斜している場合、前記開閉弁を閉じるとともに前記ポンプを作動させる制御部（３０）とを備えるサーモサイフォン式温調装置。
【請求項４】
前記気相配管を流れる前記作動流体の気液を分離する気液分離器（２２）と、
前記気液分離器で分離された液相の前記作動流体を、前記凝縮器の冷媒入口から前記蒸発器の冷媒入口までの間に還流させる還流配管（２３）とを備える請求項１ないし３のいずれか１つに記載のサーモサイフォン式温調装置。
【請求項５】
前記還流配管は、前記気液分離器で分離された液相の前記作動流体を前記液相配管に還流させる請求項４に記載のサーモサイフォン式温調装置。
【請求項６】
前記還流配管は、前記気液分離器で分離された液相の前記作動流体を前記凝縮器に還流させる請求項４に記載のサーモサイフォン式温調装置。
【請求項７】
前記蒸発器のうち前記気相配管が接続される接続部（１３ｂ）は、前記蒸発器の上部に設けられている請求項１ないし６のいずれか１つに記載のサーモサイフォン式温調装置。
【請求項８】
前記蒸発器は、前記気相配管が接続される部位（１３ｂ）に向かうにつれて前記作動流体の流れを絞る絞り部（１３ｃ）を有している請求項１ないし６のいずれか１つに記載のサーモサイフォン式温調装置。
【請求項９】
前記ポンプは、前記液相配管のうち前記凝縮器よりも前記蒸発器に近い部位に配置されている請求項１ないし８のいずれか１つに記載のサーモサイフォン式温調装置。
【請求項１０】
前記制御部（３０）は、前記冷却対象物の発熱量が多いほど前記ポンプが吐出する前記作動流体の流量を多くする請求項１ないし９のいずれか１つに記載のサーモサイフォン式温調装置。
【手続補正２】
【補正対象書類名】明細書
【補正対象項目名】００１１
【補正方法】変更
【補正の内容】
【００１１】
上記目的を達成するため、請求項１に記載のサーモサイフォン式温調装置では、
車両に搭載されるサーモサイフォン式温調装置であって、
冷却対象物（１１）から作動流体に吸熱させて作動流体を蒸発させる蒸発器（１３）と、
蒸発器（１３）から重力方向上方へ延びて、蒸発器（１３）で蒸発した気相の作動流体が流れる気相配管（１５）と、
気相配管（１５）を流れた作動流体を放熱させて作動流体を凝縮させる凝縮器（１４）と、
凝縮器（１４）から重力方向下方へ延びて、凝縮器（１４）で凝縮した作動流体を蒸発器（１３）に導く液相配管（１６）と、
蒸発器（１３）の内部の作動流体に混入する気泡が気相配管（１５）に排出されるように液相配管（１６）内の液相の作動流体を吸入して吐出し、且つ液相の作動流体を凝縮器（１４）内に到達させない揚程を有するポンプ（１８）と、
蒸発器（１３）のうち気相配管（１５）が接続される出口側接続部（１３ｂ）が蒸発器（１３）のうち液相配管（１６）が接続される入口側接続部（１３ａ）よりも重力方向上方に位置するように車両が傾斜している場合、ポンプ（１８）が吐出する作動流体の流量を少なくし、蒸発器（１３）のうち気相配管（１５）が接続される部位（１３ｂ）が蒸発器（１３）のうち液相配管（１６）が接続される部位（１３ａ）よりも重力方向下方に位置するように車両が傾斜している場合、ポンプ（１８）が吐出する作動流体の流量を多くする制御部（３０）とを備える。
【手続補正３】
【補正対象書類名】明細書
【補正対象項目名】００１２
【補正方法】変更
【補正の内容】
【００１２】
これによると、蒸発器（１３）内の気泡を気相配管（１５）に排出させるので、蒸発器（１３）内の気泡を減少させることができる。
上記目的を達成するため、請求項２に記載のサーモサイフォン式温調装置では、
冷却対象物（１１）から作動流体に吸熱させて作動流体を蒸発させる蒸発器（１３）と、
蒸発器から重力方向上方へ延びて、蒸発器で蒸発した気相の作動流体が流れる気相配管（１５）と、
気相配管を流れた作動流体を放熱させて作動流体を凝縮させる凝縮器（１４）と、
凝縮器から重力方向下方へ延びて、凝縮器で凝縮した作動流体を蒸発器に導く液相配管（１６）と、
蒸発器の内部の作動流体に混入する気泡が気相配管に排出されるように液相配管内の液相の作動流体を吸入して吐出し、且つ液相の作動流体を凝縮器内に到達させない揚程を有するポンプ（１８）と、
液相配管の作動流体がポンプをバイパスして流れるバイパス配管（２０）と、
バイパス配管内の流路を開閉する開閉弁（２１）と、
出口側接続部（１３ｂ）が入口側接続部（１３ａ）よりも重力方向上方に位置するように車両が傾斜している場合、開閉弁を開くとともにポンプを停止させる制御部（３０）とを備える。
これにより、請求項１の発明と同様の作用効果を奏することができる。
上記目的を達成するため、請求項３に記載のサーモサイフォン式温調装置では、
冷却対象物（１１）から作動流体に吸熱させて作動流体を蒸発させる蒸発器（１３）と、
蒸発器から重力方向上方へ延びて、蒸発器で蒸発した気相の作動流体が流れる気相配管（１５）と、
気相配管を流れた作動流体を放熱させて作動流体を凝縮させる凝縮器（１４）と、
凝縮器から重力方向下方へ延びて、凝縮器で凝縮した作動流体を蒸発器に導く液相配管（１６）と、
蒸発器の内部の作動流体に混入する気泡が気相配管に排出されるように液相配管内の液相の作動流体を吸入して吐出し、且つ液相の作動流体を凝縮器内に到達させない揚程を有するポンプ（１８）と、
液相配管の作動流体がポンプをバイパスして流れるバイパス配管（２０）と、
バイパス配管内の流路を開閉する開閉弁（２１）と、
出口側接続部（１３ｂ）が入口側接続部（１３ａ）よりも重力方向下方に位置するように車両が傾斜している場合、開閉弁を閉じるとともにポンプを作動させる制御部（３０）とを備える。
これにより、請求項１の発明と同様の作用効果を奏することができる。